(57)【要約】【課題】レジスタ装置１２等の釣銭の準備、売上金の集計、現金の回収等を行う硬貨管理装置１７において、金種別にレジスタ装置１２等に移す作業と、外交員等が硬貨を集めて収納袋に移す作業を簡単に行えるようにする。【解決手段】金種別に繰出された硬貨を区分けして収容する出金カセット７７と、取っ手２２１ａを持って取出し可能な小箱２２０を備えて金種別に繰出された硬貨を当該小箱に集めて収容できる一括出金カセット３００を選択的に使用できるようにした。【選択図】図１
2008293451.tif 000002
【特許請求の範囲】
【請求項１】
入金硬貨を金種別に計数して収納し、収納した硬貨を金種別に計数して出金する硬貨管理装置であって、
金種別に繰出された硬貨を区分けして収容する出金カセットと、取っ手を有した着脱可能な硬貨収納部を具備し金種別に繰出された硬貨を集めて収容できる一括出金カセットと、を選択的に出金口にセットできるようにしたことを特徴とする硬貨管理装置。
【請求項２】
前記一括出金カセットは、前記硬貨収納部へ硬貨を誘導するスロープ形状のガイド手段を備えていることを特徴とする請求項１記載の硬貨管理装置。
【請求項３】
前記一括出金カセットは、前記ガイド手段に誘導された硬貨が前記硬貨収納部の側面端部に入り込まないように、前記硬貨収容部の端面と隣接する位置に突起部を設けたことを特徴とする請求項１および請求項２記載の硬貨管理装置。
【請求項４】
前記一括出金カセットは、前記ガイド手段と反対側に、Ｒ形状またはカエリ形状を有する第２のガイド手段を設けたことを特徴とする請求項１ないし請求項３いずれか記載の硬貨管理装置。
【請求項５】
前記硬貨収納部は、２つ以上の取っ手を有し、
前記２つ以上の取っ手は、片手で同時に掴みやすい間隔に配設したことを特徴とする請求項１ないし請求項４いずれか記載の硬貨管理装置。
【請求項６】
前記硬貨収納部の前記取っ手は、水平方向に対し所定の角度を成すように配設し、前記取っ手を掴んだときに所定の角度で前記硬貨収納部が傾くようにしたことを特徴とする請求項５記載の硬貨管理装置。
【請求項７】
前記硬貨収納部は、上面及び一側面に硬貨を受け入れる開口部と、第１の取っ手と第２の取っ手を備え、
前記第１の取っ手は、前記上面の開口部から受け入れる硬貨が衝突しない位置とし、当該第１の取っ手のみを掴んで硬貨収納部を持ち上げると内部の硬貨がこぼれる位置に配設したことを特徴とする請求項１ないし請求項６いずれか記載の硬貨管理装置。
【請求項８】
前記第２の取っ手は、前記ガイド手段からの硬貨の誘導および前記硬貨収納部から硬貨を取出す際に邪魔にならない位置としたことを特徴とする請求項７記載の硬貨管理装置。
【請求項９】
前記一括出金カセットは、前記出金口近傍に押えガイドを設け、前記硬貨管理装置に収納するときに前記硬貨収納部の筐体の一部を押して所定の位置に誘導するようにしたことを特徴とする請求項１ないし請求項８いずれか記載の硬貨管理装置。
【請求項１０】
前記一括出金カセットは、前記硬貨収納部が前記押えガイドと当接する部分をＲ形状としたことを特徴とする請求項９記載の硬貨管理装置。
【発明の詳細な説明】
【技術分野】
【０００１】
この発明は、入金硬貨を金種別に計数して収納し、収納した硬貨を金種別に計数して出金する硬貨管理装置に関する。
【背景技術】
【０００２】
一般に、商品やサービスを販売するスーパー、量販店、ショッピングセンターなどの小売店舗や、郵便、新聞、荷物などの宅配業務拠点において、現金による販売で必要となる釣銭準備金を管理するために硬貨管理装置が配設されている。
【０００３】
そして、各店舗における代金精算所にはレジスタ機が配設され、前記店舗のレジ係等の代金精算業務の担当者は、顧客から代金として受領した現金を前記レジスタ機に収納するとともに、釣銭として必要な現金を前記レジスタ機から取り出して、前記顧客に渡すようになっている。
【０００４】
そして、釣銭の大半は硬貨であり、釣銭切れが発生して顧客からの代金受領業務が滞ることがないようにするために、釣銭準備金として、事前に各金種の硬貨として一円硬貨、五円硬貨、十円硬貨、五十円硬貨、百円硬貨及び五百円硬貨を計数した後、前記レジスタ機に仕分けして収納して置くようになっている（例えば、特許文献１参照）。
【０００５】
この場合、１枚ずつばらばらになっている硬貨であるバラ硬貨を計数して管理する作業は手間のかかる作業であるため、前記硬貨管理装置を使用して釣銭準備金を管理し、諸定額の釣銭準備金を払い出したり、残った釣銭準備金を入金したり計数したりするようになっている。
【０００６】
そして、前記硬貨管理装置においては、複数の金種のバラ硬貨を一括して入金することができ、また、必要額の釣銭準備金の払い出しにおいては、金種別に硬貨を収納する複数の収納部を備える出金カセットに、必要とされる枚数の硬貨を金種ごとに仕分けて払い出すようになっている。このため、金種別に仕分けられた大量の硬貨を必要とするレジスタ機に適した釣銭準備金を用意できるようになっている。
【特許文献１】特開平８−４４９２４号公報
【発明の開示】
【発明が解決しようとする課題】
【０００７】
しかしながら、近年では、レジスタ機の釣銭準備金だけでなく、外交員が持ち歩く釣銭を準備するために硬貨管理装置を利用したいという要求が高まっている。外交員が持ち歩く釣銭準備金は、レジスタ機の釣銭準備金と異なり、金種が混在する少量の硬貨を一つの容器に収納できるように準備する必要がある。これに対し、従来の硬貨管理装置では出金カセットが金種ごとに区分され、それぞれに硬貨が仕分けられて払い出される。
【０００８】
このため、外交員が持ち歩く釣銭準備金を用意する場合では、前述のように出金カセットに仕分けられた硬貨を取り出し、一つの容器に集めて収納することになるので、仕分けられた硬貨を取り出して一つにまとめる作業はかえって手間がかかるという問題があった。
【０００９】
例えば、釣銭として６６６円を準備する場合、１円１枚、５円１枚、１０円１枚、５０円１枚、１００円１枚、５００円１枚の計６枚を集めるために、出金カセットの各金種に仕切られた場所から、６回硬貨を集める手間が発生していた。
【課題を解決するための手段】
【００１０】
本発明は、前述の課題を解決するために次の手段を採用する。すなわち、入金硬貨を金種別に計数して収納し、収納した硬貨を金種別に計数して出金する硬貨管理装置において、金種別に繰出された硬貨を区分けして収容する出金カセットと、取っ手を有した着脱可能な硬貨収納部を具備し金種別に繰出された硬貨を集めて収容できる一括出金カセットと、を選択的に出金口にセットできるようにした。
【発明の効果】
【００１１】
本発明の硬貨管理装置によれば、金種別に繰出された硬貨を区分けして収容する出金カセットと、取っ手を有した着脱可能な硬貨収納部を具備し金種別に繰出された硬貨を集めて収容できる一括出金カセットと、を選択的に出金口にセットできるようにしたので、金種別にレジスタ装置等に移す作業、および外交員等が硬貨を集めて収納して移す作業を簡単に行うことができる。
【発明を実施するための最良の形態】
【００１２】
以下、本発明に係る実施の形態例を、図面を用いて説明する。なお、図面に共通する要素には同一の符号を付す。
【実施例１】
【００１３】
（構成）
（システム全体の構成）
先ず、図２の硬貨管理システムの構成図を用いて、硬貨管理システムの構成を説明する。同図に示したように、店舗１１には、売上を集計し売上金等を保管するためのレジスタ機１２ａ〜１２ｄが配設される。なお、レジスタ機１２ａ〜１２ｄの数は単数でも複数でもよく任意である。
【００１４】
そして、前記レジスタ機１２ａ〜１２ｄは、店舗１１を訪れた顧客が店舗１１で販売される商品やサービスを購入して代金の精算を行うと、レジ係等の代金精算業務の担当者が操作して、前記代金を売上額として入力して合計売上額を集計するとともに、顧客から受領した現金を収納するための装置である。
【００１５】
なお、前記担当者は、釣銭として必要な現金を前記レジスタ機１２ａ〜１２ｄから取り出して前記顧客に渡すようになっている。この場合、現金は前記レジスタ機１２ａ〜１２ｄのドロア（引出）内に金種別に仕分けされて収納されている。
【００１６】
前記レジスタ機１２ａ〜１２ｄがＰＯＳシステムにおけるＰＯＳ端末として機能する場合では、売上額だけでなく、顧客が購入した商品やサービス毎に商品項目等の売上情報も前記レジスタ機１２ａ〜１２ｄに入力し、店舗１１に配設されたストアコンピュータ１３に、前記入力した情報を送信するようになっている。
【００１７】
そして、本部コンピュータ１６は、複数の店舗１１のそれぞれに配設されているストアコンピュータ１３と通信回線１５を介して接続され、各店舗１１の売上情報や売上額などを収集し、すべての店舗１１の売上情報や売上額などを集計する。
【００１８】
また、店舗１１には硬貨管理装置としての硬貨管理装置１７が配設されている。硬貨管理装置１７は、前記店舗１１のレジスタ機１２ａ〜１２ｄにセットする釣銭準備金を保管し管理するようになっている。
【００１９】
前記担当者は、レジスタ機１２ａ〜１２ｄに残った釣銭準備金を回収して硬貨管理装置１７に入金する。そして、回収した釣銭準備金が入金されると、前記硬貨管理装置１７は、回収した釣銭準備金の計数を行い、始めに出金した釣銭準備金と回収した釣銭準備金との差額に基づいて精算処理を行う。
【００２０】
また、硬貨管理装置１７は通信回線１８を介して監視センタ１９に接続されている。監視センタ１９においては、通信回線１８を介して硬貨管理装置１７の稼働情報を収集し、釣銭準備金が不足した場合の補充や、硬貨管理装置１７が強盗等に襲われた場合の監視などを行う。
【００２１】
なお、釣銭準備金としては、一円硬貨、五円硬貨、十円硬貨、五十円硬貨、百円硬貨及び五百円硬貨の硬貨、並びに千円紙幣、二千円紙幣及び五千円紙幣の紙幣が必要である。硬貨は、金種が六種類あるが、準備する枚数も金種によってはレジスタ機一台につき、５０〜１００枚となる場合があり、管理に手間がかかるが、紙幣の場合、レジスタ機一台につき、千円紙幣は１０〜２０枚程度、二千円紙幣及び五千円紙幣は数枚を準備すればよいので、管理に手間がかからない。
【００２２】
このため、硬貨管理装置１７のコストを安価にするために、釣銭準備金として、紙幣は人手で管理し、硬貨だけを硬貨管理装置１７で管理する場合が多い。以下の説明では、上記硬貨だけを管理する硬貨管理装置１７について説明する。
【００２３】
図２の下側に示したように、硬貨管理装置１７は、レジスタ機１２ａ〜１２ｄから回収した硬貨や新たに硬貨管理装置１７に補充する硬貨を入金するための入金口２１、入金口２１から入金された硬貨のうち、正当な硬貨として判別することができない場合などに、その硬貨を返却するためのリジェクト口２２、硬貨管理装置１７に保管してある釣銭準備金から必要な額の硬貨をレジスタ機１２ａ〜１２ｄにセットするために払い出す出金口２３を有する。
【００２４】
また、これらの処理を実行し、硬貨管理装置１７を操作するために硬貨管理装置１７の前面にはＣＲＴ、液晶ディスプレイ、ＬＥＤディスプレイ等から成る表示器２４、ファンクションキーやテンキーなどによって構成される操作キー２５、担当者が所持しているＩＤカードを受け入れて読み取るためのカード受入口２６、操作した結果等を印刷して発行するレシート口２７が配設される。
【００２５】
（硬貨部の構成）
次に、硬貨管理装置１７の硬貨部３８について説明する。図３および図４は、実施例１における硬貨管理装置の硬貨部の構成を示す斜視図である。同図には、一括入金された硬貨を金種別に区分し金種別硬貨集積部に集積する際の硬貨の流れを矢印で示している。
【００２６】
同図左上に示したように、硬貨部３８は入金ホッパ４１を有し、硬貨管理装置１７の入金口２１に入金された硬貨は入金ホッパ４１に投入される。そして、入金ホッパ４１の下部には、一括して入金された硬貨を１枚ずつ分離して繰り出す入金繰出部４２が配設される。
【００２７】
ここで、入金繰出部４２から１枚ずつ繰り出された硬貨は、入金搬送路４３に載置される。入金搬送路４３の入口部には、第１のセンサ４４が配設されていて、入金繰出部４２から硬貨が入金搬送路４３に載置されたことを検出する。そして、第１のセンサ４４の検出結果に従って、入金繰出部４２が硬貨を繰り出す繰出動作の制御が行われる。
【００２８】
入金搬送路４３上に載置された硬貨は、前記入金搬送路４３上を搬送され、入金搬送路４３における第１のセンサ４４の下流側に配設された検銭部４５を通過する。検銭部４５は、通過する硬貨の外形寸法、孔（あな）の有無、磁気的な材質検知などによって前記硬貨の金種を判別する。
【００２９】
このとき、硬貨に傷や錆（さび）が付いていて正当な硬貨として金種を判別することができなかったり、入金繰出部４２において一定間隔に繰り出されず、複数の硬貨が連なって繰り出されたために正しく判別することができなかったり、硬貨以外のものであり金種を判別することができない場合は、検銭部４５はリジェクトすべきものと判別する。
【００３０】
続いて、前記検銭部４５によって金種を判別された硬貨は、入金搬送路４３から区分搬送路４６に搬送される。区分搬送路４６においては、検銭部４５の判別結果に従い、硬貨を所定の硬貨集積部またはリジェクト口２２に搬送しながら区分する。
【００３１】
そして、前記区分搬送路４６の入口には、第２のセンサ４７が配設される。第２のセンサ４７は検銭部４５を通過した硬貨等が確実に搬送されたことを検出する。前記検銭部４５から第２のセンサ４７までは、正当な硬貨だけでなく、リジェクトすべきものと判別された異常な硬貨や硬貨以外のものも搬送される。このため、前記硬貨や硬貨以外のものが確実に搬送されたことを検出するために第２のセンサ４７が配設されている。
【００３２】
また、前記区分搬送路４６における第２のセンサ４７の下流側には、第１のブレードとしてのリジェクトブレード４８が配設される。検銭部４５がリジェクトすべきと判別した硬貨等が到達した時は、前記リジェクトブレード４８が作動して区分搬送路４６を開放する。
【００３３】
これにより、区分搬送路４６上を搬送されるリジェクトすべきと判別された硬貨等は、リジェクトシュート４９に誘導され、硬貨管理装置１７のリジェクト口２２から放出される。また、前記検銭部４５が正当な硬貨として金種を判別した場合は、リジェクトブレード４８はリジェクトシュート４９を閉鎖する。これにより、前記区分搬送路４６上を搬送される硬貨は、リジェクトブレード４８上を通過して、さらに、区分搬送路４６の後方に搬送される。
【００３４】
そして、前記リジェクトブレード４８の下流側には、第３のセンサ５０が配設される。検銭部４５で判別結果が出力されてから所定時間後に、第３のセンサ５０によって通過が検出されることによって、検銭部４５が正当な硬貨と判別した硬貨が確実に区分搬送路４６上を搬送されていることを確認する。
【００３５】
続いて、正当な硬貨は第３のセンサ５０を通過した後、前記検銭部４５によって判別された金種に従って区分搬送路４６上で区分され、該当する硬貨集積部に集積される。ここでは、日本で通常に流通している六種類の硬貨、すなわち、一円硬貨、五円硬貨、十円硬貨、五十円硬貨、百円硬貨及び五百円硬貨を区分する場合について説明する。
【００３６】
前記第３のセンサ５０の下流側には、最も径が小さい一円硬貨を落下させるための穴５１が形成されている。穴５１は一円硬貨の径より大きく、次に小さい五十円硬貨の径より小さく設定されていて、六種類の硬貨のうち一円硬貨だけが穴５１に落下するようになっている。一円硬貨以外の五種類の硬貨は穴５１を落下することなく通過し、区分搬送路４６上を、さらに下流に搬送される。
【００３７】
前記穴５１の下流側には、第２のブレード５２が配設される。第２のブレード５２においては十円硬貨だけが選別されて落下する。すなわち、検銭部４５で十円硬貨と判別された硬貨が第３のセンサ５０を通過すると、所定時間後に第２のブレード５２が開放し、区分搬送路４６から該当する十円硬貨を落下させる。
【００３８】
さらに、第２のブレード５２の下流側には穴５３が形成されていて、穴５３は五十円硬貨の径より大きく、次に大きい五円硬貨の径より小さく設定されている。したがって、五十円硬貨だけが選別されて前記穴５３から落下する。
【００３９】
さらに、穴５３の下流側には五円硬貨を落下させる穴５４が形成されている。穴５４は五円硬貨の径より大きく、次に大きい百円硬貨の径より小さく設定されていて、五円硬貨だけが選別されて前記穴５４から落下する。
【００４０】
そして、穴５４の下流側には百円硬貨を選別して落下させる穴５５が形成され、さらに、穴５５の下流側には五百円硬貨を選別して落下させる穴５６が形成されている。
【００４１】
このようにして、六種類の硬貨は前述された順番で区分搬送路４６から落下する。これにより、硬貨を金種に基づいて、所定の順番で区分搬送路４６から落下させることによって、硬貨を金種別に仕分けして、所定の位置に排出することができる。そして、排出された硬貨をレジスタ機１２ａ〜１２ｄのドロア内に並べる金種の順番に合わせた出金カセット７７の位置に投入される。
【００４２】
（硬貨集積部の配置）
続いて、金種別の硬貨集積部の配置について説明する。実施例１において、硬貨集積部は金種別に分かれた六個の硬貨集積部から成り、六個の硬貨集積部は区分搬送路４６の下側に搬送方向に向かって右側と左側とに分かれて配設される。  この場合、搬送方向に向かって右側には上流から硬貨集積部としての一円硬貨集積部５７、五円硬貨集積部５８、五十円硬貨集積部５９及び五百円硬貨集積部６０の順に配設される。また、搬送方向に向かって左側には、上流から、硬貨集積部として、十円硬貨集積部６１及び百円硬貨集積部６２の順に配設される。
【００４３】
そして、前記一円硬貨集積部５７、五円硬貨集積部５８、五十円硬貨集積部５９、五百円硬貨集積部６０、十円硬貨集積部６１及び百円硬貨集積部６２の下方には、それぞれに対応する硬貨繰出部が配設される。
【００４４】
そして、前記硬貨集積部５７〜６２に集積されている各種硬貨を出金する場合、それぞれに対応する硬貨出金繰出部６９〜７４によって対応する金種の硬貨が１枚ずつ繰り出され、必要な枚数が払い出される。
【００４５】
また、前記各金種の硬貨繰出部の下側には出金ガイド板７５が配置される。それぞれの金種の硬貨繰出部から出金のために繰り出された硬貨は、出金ガイド板７５上に放出される。出金ガイド板７５は、回転軸７６を中心に位置７５ａから位置７５ｂまで回転し、前記それぞれの硬貨繰出部から繰り出された硬貨を必要な方向に案内する。
【００４６】
そして、出金ガイド板７５の下側には、出金カセット７７及び回収箱７８が配設される。ここで、前記出金ガイド板７５が位置７５ａにある場合は、それぞれの硬貨繰出部から出金された硬貨は出金カセット７７の方向に案内され、出金カセット７７に収納される。一方、前記出金ガイド板７５が位置７５ｂにある場合は、それぞれの硬貨繰出部から出金された硬貨は回収箱７８に収納される。
【００４７】
なお、前記出金カセット７７には、それぞれの硬貨繰出部に対応して金種別収納部が配設される。すなわち、出金カセット７７の図３における手前から金種の順番に、金種別収納部として、一円硬貨収納部７９、五円硬貨収納部８０、十円硬貨収納部８１、五十円硬貨収納部８２、百円硬貨収納部８３及び五百円硬貨収納部８４が配設される。
【００４８】
そして、前記金種別の硬貨集積部の配置は、区分搬送路４６の搬送方向に向かって右側に、一円硬貨集積部５７、五円硬貨集積部５８、五十円硬貨集積部５９、五百円硬貨集積部６０が配設され、区分搬送路４６の搬送方向に向かって左側に、十円硬貨集積部６１、百円硬貨集積部６２が配設される。そして、二列に並んだ前記金種別の硬貨集積部の間、すなわち、各金種別の硬貨集積部の下部に取り付けられた硬貨繰出部の間に、出金ガイド板７５が配設されている。
【００４９】
図４は、十円硬貨出金繰出部７３及び百円硬貨出金繰出部７４の配置を示すための図である。例えば、十円硬貨集積部６１に集積された十円硬貨は、十円硬貨出金繰出部７３によって１枚ずつ繰り出され、矢印Ａで示される方向に払い出される。そして、矢印Ａで示される方向に払い出された十円硬貨は出金ガイド板７５上に落下し、落下した十円硬貨は出金ガイド板７５によって矢印Ｆで示される方向に案内され、出金カセット７７の十円硬貨収納部８１に収納される。
【００５０】
同様に、百円硬貨集積部６２に集積された百円硬貨は、百円硬貨出金繰出部７４によって矢印Ｂで示される方向に１枚ずつ繰り出され、出金ガイド板７５によって矢印Ｈで示される方向に案内され、出金カセット７７の百円硬貨収納部８３に収納される。
【００５１】
なお、五百円硬貨集積部６０に集積された五百円硬貨は、五百円硬貨出金繰出部７２によって矢印Ｃで示される方向に１枚ずつ繰り出され、出金ガイド板７５によって矢印Ｉで示される方向に案内され、出金カセット７７の五百円硬貨収納部８４に収納される。
【００５２】
また、一円硬貨集積部５７、五円硬貨集積部５８及び五十円硬貨集積部５９に集積された一円硬貨、五円硬貨及び五十円硬貨も同様に、出金ガイド板７５によって、それぞれ、矢印Ｄ、Ｅ、Ｇで示される方向に案内され、出金カセット７７の一円硬貨収納部７９、五円硬貨収納部８０、五十円硬貨収納部８２に、それぞれ、収納される。
【００５３】
一方、例えば、硬貨管理装置１７の精算をする場合のように、各金種別の硬貨集積部に保管されている硬貨をすべて回収箱７８に収納する場合には、出金ガイド板７５が回転軸７６を中心に位置７５ａから位置７５ｂまで回転する。
【００５４】
そして、金種別の硬貨集積部に集積されている硬貨は、各硬貨集積部の下部に配設された金種別の硬貨繰出部によって１枚ずつ繰り出され、位置７５ｂにある出金ガイド板７５によって案内され、矢印Ｄ〜Ｉで示される方向と逆の方向、すなわち、搬送方向に向かって左側に案内されて回収箱７８に収納される。
【００５５】
（出金カセットの構成）
図５および図６は実施例１における硬貨管理装置の出金カセットの構成を示す斜視図、図７は実施例１における硬貨管理装置の回収箱の構成を示す斜視図である。
【００５６】
出金カセット７７は、図５および図６に示すように、取っ手８５によって硬貨管理装置１７の出金口２３から引き出すことができる構成となっている。また、出金カセット７７には、鍵（かぎ）９９を備える蓋（ふた）８６が取り付けられていて、出金口２３から引き出した後、図６に示されるように、蓋８６を閉じることによって収納した硬貨を落下させずに持ち運ぶことができるようになっている。なお、回収箱７８も、図７に示すように、取っ手８７によって硬貨管理装置１７から引き出すことができる構成となっている。
【００５７】
ところで、硬貨を搬送する搬送部は、入金搬送路４３と区分搬送路４６とで独立して構成され、それぞれ、独立した駆動装置によって駆動される搬送ベルトによって硬貨を搬送路方向に押し付けながら圧接して搬送するようになっている。
【００５８】
（一括出金カセットの構成）
次に、外交員向けなどの釣銭準備金を一括して出金する場合に使用する実施例１の一括出金カセットの構成を以下に説明する。外交員の釣銭準備金を一括して出金する場合は、その用途から金種別に格納する出金カセット７７とは構造が異なっている。
【００５９】
図８は、実施例１の硬貨一括出金用の出金カセットの構成を示す上面図であり、図１はその側面透視図、図９は側面図である。図１０は実施例１の一括出金用の一括出金カセットに装着される小箱の斜視図である。
【００６０】
図８および図１に示すように、実施例１の一括出金カセット３００は、ベースフレーム２０３、サイドフレーム２０１、出金カセットを引き抜くときに手をかける取っ手２００、スロープを形成する収納ガイド部２１０、硬貨を収納し着脱可能に配設される小箱２２０、Ｒ形状とカエリ形状を有する取出しガイド部２１１で構成される。
【００６１】
スロープを形成する収納ガイド部２１０は、エンボス形状または表面処理加工などを施し、硬貨との接触部分を減らしたり、摩擦を少なくしたりして滑り性を良くするようにするとよい。
【００６２】
サイドフレーム２０１は、出金カセット内側の面の２箇所に突起部２０２を備える。サイドフレームの突起部２０２は、収納ガイド部２１０のスロープを滑り落ちてくる硬貨が矢印Ｊのようにサイドフレーム２０１で立ち走りしたときに、小箱２２０の側面端部（図１０のａ部）に入り込まないように、矢印Ｋのように硬貨の方向を変えるのに十分な量だけ飛び出ている。
【００６３】
さらに、サイドフレーム２０１は、図９のように、小箱２２０のセット案内用のガイド形状２０４として面取りが施されている。Ｒ形状とカエリ形状を有する取出しガイド部２１１は、小箱２２０がない状態でも硬貨が取り出し易いように設けられ、スロープを形成する収納ガイド部２１０とともに、小箱２２０を一括出金カセット３００に装着するときの位置決めの役目をするようにしている。
【００６４】
小箱２２０は、図１０に示すように、上面及び一側面（図中左側）に開口部を有し、二側面（（図中の上下面）に突起部２２２を備え、内側に取っ手２２１ａを備える。
【００６５】
小箱２２０は、繰出された硬貨を収納した状態で、取っ手２２１ａを持って容易に取り外しできるように、大きさ及び重量を制限する。
【００６６】
小箱２２０の上面の開口部は、金種別に設けられた複数の硬貨部３８の出金ガイド板の一部が前記開口部の真上に位置し、硬貨部３８から払い出され出金ガイド板７５から落下する硬貨を受け入れる。また、側面の開口部は出金カセットのスロープを形成する収納ガイド部２１０と接していて、前記硬貨部から繰出され出金ガイド板７５から前記スロープを形成する収納ガイド部２１０上に落下してスロープを滑り落ちてくる硬貨を受け入れる。
【００６７】
小箱の側面の突起部２２２は、一括出金カセット３００のサイドフレームに設けられたガイド形状２０４と嵌合することにより、小箱２２０を一括出金カセット３００の所定の位置にセットされるようにしている。また、前記突起部２２２は一定以上の幅を備えて、前記ガイド形状２０４と前記突起部２２２が嵌合しなければ、一括出金カセット３００内に、小箱２２０が入らないようにしている。
【００６８】
なお、図１０に示したように、前記小箱の突起部２２２は、取っ手２２１の止めネジにて、代用するようにしてもよい。
【００６９】
（動作）
（釣銭のセット動作）
以上の構成により、硬貨管理装置は、以下のように動作する。この硬貨管理装置１７を使用した店舗１１におけるレジスタ機１２ａ〜１２ｄへの釣銭のセットの動作について説明する。
【００７０】
図１１ないし図１５は、実施例１の硬貨管理装置における表示部２４の表示例と操作キーを示した図である。硬貨管理装置の動作をしては、開店前の準備から営業の途中でのレジ係等の代金精算業務の担当者の交替、閉店後の締めまでの動作があるが、簡略化のために、本発明に係る開店前の準備における動作を説明する。
【００７１】
まず、この場合、前日にレジスタ機１２ａ〜１２ｄのドロア内の現金は空にしてある。そこで、開店前にレジスタ機１２ａ〜１２ｄに釣銭準備金をセットする必要がある。
【００７２】
開店時の担当者Ａは、硬貨管理装置１７のカード受入口２６に所持しているＩＤカードを挿入する。前記硬貨管理装置１７は、挿入されたＩＤカードを読み取り、その読取内容から担当者Ａの氏名「○○花子」を読み出し、図１１に示されるように、表示器２４に担当のレジスタ機を指定するように表示する。
【００７３】
すなわち、表示器２４には、図１１に示されるように、事前に登録されている「食品レジ」、「医薬品レジ」、「洋品レジ」、「雑貨レジ」、「家電レジ」等のレジスタ機１２ａ〜１２ｄのそれぞれの名称と、さらに、登録されたレジスタ機がある場合は、「他のレジ」がファンクションキー２５ａ〜２５ｆの位置に対応して表示される。なお、本例では、担当するレジスタ機をファンクションキー２５ａ〜２５ｆで指定するようになっている。
【００７４】
ここで、担当者Ａの担当が「雑貨レジ」である場合、ファンクションキー２５ｄを押下すると、表示器２４には、図１２に示されるように、取扱メニュー画面が表示される。そして、担当者Ａは、取扱メニューを選択する。なお、メニューには、「セット出金」、「個別出金」、「係員入金」、「係員照会」、「係員精算」がある。
【００７５】
ここで、「セット出金」とは、各金種の硬貨が事前に設定された指定枚数だけ、それぞれ、払い出される操作であり、開店前等に新たにレジスタ機１２ａ〜１２ｄに釣銭をセットする場合に使用する。
【００７６】
例えば、通常は「セット出金１」が使用されるが、特定の日等で繁忙日が予想される場合は、「セット出金２」が選択される。「セット出金２」は、事前に設定されている各金種の硬貨の各指定枚数が「セット出金１」より多く設定されていて、営業中の繁忙状況によって釣銭準備金の枚数を選択することができるようになっている。
【００７７】
「個別出金」は、各金種の硬貨の枚数をその都度指定して払い出されるようにする操作であり、営業の途中で釣銭が不足した時に補充する場合などに使用される。なお、後述の外交員のための一括出金を行う場合では、前述の「セット出金１」「セット出金２」「個別出金」を、一括出金として用いるようにする。
【００７８】
「係員入金」は、レジスタ機１２ａ〜１２ｄのドロア内の硬貨等を計数しながら硬貨管理装置１７に入金する操作であり、例えば、営業の途中で釣銭が過剰になった場合など、レジスタ機１２ａ〜１２ｄのドロア内の一部の硬貨を硬貨管理装置１７に入金する場合等に使用される。
【００７９】
「係員照会」は、これまでの払い出し及び入金の操作履歴等を表示したり、レシートに印刷したりする操作であり、当日の現時点における払い出し状況や日付を指定して特定の日や特定の期間の払い出し及び入金の経過等を照会するときに使用される。
【００８０】
また、「係員精算」は、レジスタ機１２ａ〜１２ｄのドロア内の硬貨のすべてを回収し、計数しながら硬貨管理装置１７に入金した後、今回の営業の中で該当する担当者が、始めに釣銭準備金を出金してから以降のすべての払い出し及び入金操作を集計して精算する操作であり、例えば、一日の該当する担当者の作業が終了した場合等に使用する。
【００８１】
そして、担当者Ａが図１２に示される取扱メニューから「セット出金１」に対応するファンクションキー２５ａを押下すると、図１３に示されるように、払い出し枚数の確認が表示器２４に表示される。同図の例では、「セット出金１」として設定されている払い出し枚数は一円硬貨が２０枚、五円硬貨が１０枚、十円硬貨が３０枚、五十円硬貨が１０枚、百円硬貨が４５枚、五百円硬貨が７枚となっている。
【００８２】
なお、当日が繁忙日である場合、担当者Ａが「セット出金２」に対応するファンクションキー２５ｂを押下すると、「セット出金１」とは異なる枚数の設定が表示される。そして、表示器２４表示された払い出し枚数の内訳でよい場合、担当者Ａは開始・停止キー２５ｈを押下する。
【００８３】
開始・停止キー２５ｈが押下されると、硬貨管理装置１７は、払い出し枚数の内訳に従った払い出し動作を開始する。すなわち、表示器２４には、図１４に示されるように、払い出し中である旨が表示される。
【００８４】
このとき、硬貨部３８では出金ガイド板７５を位置７５ａにした後、各種硬貨集積部５７〜６２に集積されている硬貨を、それぞれに対応する硬貨出金繰出部６９〜７４によって計数しながら繰り出し、設定された枚数分の硬貨を払い出して、出金カセット７７の金種別収納部にそれぞれ収納する。なお、後述の外交員のための一括出金を行う場合では、一括出金カセット３００に一括して収納することになる。
【００８５】
続いて、所定枚数の出金が終了すると、図１５に示されるように、表示器２４に「出金カセットを抜いてください」と表示され、今回の払い出し処理の内容が図示しない制御部の記憶部に記憶される。
【００８６】
次に、担当者Ａは表示された指示に従って硬貨管理装置１７の出金口２３から出金カセット７７を抜き出し、レシート口２７から発行される払い出し枚数の内訳等が印刷されたレシートを取り出す。担当者Ａは、前記レシートを控えとして保管する。なお、後述の外交員のための一括出金を行う場合では、一括出金カセット３００を抜き出した後、発行されたレシートを取り出し保管することになる。
【００８７】
そして、担当者Ａは硬貨が収納された出金カセット７７をレジスタ機１２ａまで持ち運び、蓋８６を開いて硬貨を取り出して、レジスタ機１２ａのドロア内に収納する。このとき、払い出された硬貨は、金種別収納部に金種別に仕分けされて硬貨収納部７９〜８４に収納されているので、そのままレジスタ機１２ａのドロアの釣銭収納部に金種毎に収納することができる。
【００８８】
（一括出金カセットへの出金動作）
次に、外交員のための釣銭準備金を一括して出金する場合の動作について説明する。なお、釣銭準備金の硬貨を硬貨部から繰り出す操作と硬貨部３８の動作は、図１１〜図１５を用いて説明したレジスタ機の釣銭準備金として金種別に仕分けして出金する場合と同一であるので簡略化のためにその詳細な説明は省略する。
【００８９】
まず、外交員Ｘは、硬貨管理装置１７の出金口２３からレジスタ機用の釣銭準備金を払い出す出金カセット７７を外し、一括出金カセット３００を硬貨管理装置１７にセットする。外交員Ｘは、図１２と同様の選択画面に従い、外交員が釣銭準備金として必要とする硬貨セットを選択する。例えば、セット出金１を選択すれば、図１３のような通常業務に適した所定の金種および枚数が設定される。
【００９０】
そして、開始・停止ボタン２５ｈを押下すると、図１４の画面が表示され、硬貨部３８の出金ガイド板７５によって、金種ごとに仕切られた区画に該当する位置に、硬貨が払い出され、一括出金カセット３００に落下し、スロープを形成する収納ガイド部２１０を滑り落ちて、小箱２２０に入る。
【００９１】
一括出金カセット３００のサイドフレーム２０１を立ち走りした硬貨は、サイドフレームの突起部２０２に当たり、小箱２２０に入る。そして、前記設定された硬貨の出金が完了すると、図１５の画面が表示されるので、外交員Ｘは、出金が終了したことを知り、硬貨管理装置の出金口２３の扉を開く。
【００９２】
そして、外交員Ｘは、出金カセットの取っ手２００を持って、一括出金カセット３００を硬貨管理装置１７から、小箱２２０を取り出せる位置まで引き出し、一括出金カセット３００から、小箱取っ手２２１を持って、硬貨ごと小箱２２０を取り出す。そして、外交員Ｘが携帯する収納袋などに小箱２２０内の硬貨を移し換える。
【００９３】
そして、外交員Ｘは、再び、小箱２２０を一括出金カセット３００に戻し、一括出金カセット３００を硬貨管理装置１７の出金口２３にセットし、扉を閉める。以上の操作により、外交員向けの釣銭準備金払い出しの操作が終了する。
【００９４】
なお、以上の実施例の説明では、一括出金カセット３００にスロープを形成する収納ガイド部２１０を設けて繰り出された硬貨をスロープで滑らせて小箱２２０に集めるように説明したが、収納ガイド部２１０を設けるのではなく、モータ等で搬送機構を駆動して硬貨を小箱２２０に集めるようにしてもよい。
【００９５】
（実施例１の効果）
以上のように実施例１の硬貨管理装置によれば、金種別に繰出された硬貨を区分けして収容する出金カセットと、金種別に繰出された硬貨を集めて小箱に収容できる一括出金カセットを選択的に使用できるようにしたので、金種別にレジスタ装置等に移す操作および外交員等が硬貨を集めて収納して移す操作を簡単に行うことができる。
【実施例２】
【００９６】
（構成）
実施例２の硬貨管理装置の構成は、一括出金カセットに搭載される小箱に新たに第２の取っ手を設けた構成となっている。硬貨管理システムの構成、硬貨部３８の構成、硬貨集積部の配置、出金カセット７７の構成は、実施例１の構成と同様であるので、簡略化のためにその詳細な説明は省略する。
【００９７】
（一括出金カセットの構成）
実施例２の外交員用の一括出金カセットの構成を以下に説明する。図１６は、実施例２の硬貨一括出金用の一括出金カセットの構成を示す上面図であり、図１７はその側面透視図、図１８は側面図である。図１９は実施例２の一括出金用の一括出金カセットに装着される小箱の斜視図である。
【００９８】
図１９に示したように、実施例２の一括出金カセットの小箱２２０は、上面及び一側面（図中左側）に開口部を有し、二側面（図中上下側）に突起部２２２を備え、内側に第１の取っ手２２１ａおよび第２の取っ手２２１ｂを備える。
【００９９】
小箱２２０は、繰出された硬貨を収納した状態で、取っ手２２１ａおよび取っ手２２１ｂを持って容易に取り外しできるように、大きさ及び重量を制限する。
【０１００】
小箱の側面の突起部２２２は、一括出金カセット３００のサイドフレームに設けられた、ガイド形状２０４と嵌合することにより、小箱２２０を一括出金カセット３００の所定の位置にセットされるようにしている。また、前記突起部２２２は一定以上の幅を備えて、前記ガイド形状２０４と前記突起部２２２が嵌合しなければ、一括出金カセット３００内に、小箱２２０が入らないようにしている。
【０１０１】
そして、小箱の第１の取っ手２２１ａは、硬貨の跳ね返りを避けるために、上から落ちてくる硬貨の軌跡を避けた位置に配置する。
【０１０２】
また、硬貨が収納された小箱２２０を一括出金カセット３００から取り出す際に、前記取っ手２２１ａと後述の取っ手２２１ｂを持つことにより、小箱２２０に所定の傾斜を与え、収容された硬貨を小箱２２０の傾斜の低い部分に集めるようにして小箱２２０から取り出し易くしている。
【０１０３】
つまり、取っ手２２１ａのみを持った場合、図２０の矢印Ｌのように小箱２２０が傾斜し、小箱２２０の開口部より収容した硬貨がこぼれ落ちてしまい、逆に、取っ手２２１ａと取っ手２２１ｂの段差が小さすぎると、小箱２２０が傾斜しないので、硬貨が小箱の中で散乱したままとなり、小箱から硬貨を取り出す際に、硬貨をかき集める手間が発生する。
【０１０４】
そこで、図２０に示すように、前記取っ手２２１ａだけを掴んで小箱２２０を矢印Ｙ方向に持ち上げると、小箱２２０の傾きが大きくなり該上面の開口部から収納した硬貨がこぼれ出してしまうような位置に取っ手２２１ａを設ける。このようにすれば、小箱２２０を一括出金カセット３００から取り出すときには、図２１に示すように、必然的に、２つの取っ手２２１ａ、２２１ｂを持たなければならない。
【０１０５】
以上のように、小箱２２０の第２の取っ手２２１ｂは、収納ガイド部２１０からの硬貨滑り込みの邪魔にならず、小箱２２０からの硬貨の取り出し時にも邪魔にならないような位置に配置し、かつ、小箱２２０に適正な傾きを与えられるように、図２１に示したように、取っ手２２１ａといっしょに持つのに、距離的に持ち易く、２つの取っ手２２１ａ、２２１ｂを持ったときには、小箱２２０の側面開口部が若干持ち上がり、硬貨が前記側面開口部と反対側に寄せられバランスが良くなる位置に配置する。
【０１０６】
（動作）
以上の構成により、硬貨管理装置は、以下のように動作する。なお、硬貨管理装置１７から店舗１１内のレジスタ機１２ａ〜１２ｄへ釣銭をセットする動作については、図１１ないし図１５を用いて説明した実施例１と同様であるので、簡略化のためにその詳細な説明を省略する。
【０１０７】
（一括出金カセットへの出金動作）
以下、外交員のための釣銭準備金を一括して出金する場合の動作について説明する。まず、外交員Ｘは、硬貨管理装置１７の出金口２３からレジスタ機用の釣銭準備金を払い出す出金カセット７７を外し、一括出金カセット３００を硬貨管理装置１７にセットする。外交員Ｘは、図１２と同様の選択画面に従い、外交員が釣銭準備金として必要とする硬貨セットを選択する。例えば、セット出金１を選択すれば、図１３のような通常業務に適した所定の金種および枚数が設定される。
【０１０８】
そして、開始・停止ボタン２５ｈを押下すると、図１４の画面が表示され、硬貨部３８の出金ガイド板７５によって、金種ごとに仕切られた区画に該当する位置に、硬貨が払い出され、一括出金カセット３００に落下し、スロープを形成する収納ガイド部２１０を滑り落ちて、小箱２２０に入る。
【０１０９】
一括出金カセット３００のサイドフレーム２０１を立ち走りした硬貨は、サイドフレームの突起部２０２に当たり、小箱２２０に入る。そして、前記設定された硬貨の出金が完了すると、図１５の画面が表示されるので、外交員Ｘは、出金が終了したことを知り、硬貨管理装置の出金口２３の扉を開く。
【０１１０】
外交員Ｘは、出金カセットの取っ手２００を持って、一括出金カセット３００を硬貨管理装置１７から、小箱２２０を取り出せる位置まで、引き出し、一括出金カセット３００から、小箱の第１の取っ手２２１ａと第２の取っ手ｂを持って、硬貨ごと小箱２２０を取り出す。そして、小箱２２０内の硬貨を携帯する収納袋に移し換える。
【０１１１】
そして、外交員Ｘは、再び、小箱２２０を一括出金カセット３００に戻し、一括出金カセット３００を硬貨管理装置１７にセットし、硬貨管理装置１７の出金口２３の扉を閉める。以上の操作により、外交員向けの釣銭準備金払い出しの操作が終了する。
【０１１２】
なお、以上の実施例の説明では、小箱２２０の取っ手を２個設けように説明したが、２個に限定することなく、３個以上設けるようにしても勿論よいし、小箱２２０を持ったときに、回転しないように所定の太さの取っ手とするようにしてもよい。
【０１１３】
（実施例２の効果）
以上のように実施例２の硬貨管理装置によれば、一括出金カセットに装着する小箱に２つの取っ手を設け、当該２つの取っ手は、片手で同時に掴みやすい間隔として、掴んだ時に所定の角度で小箱が傾くように配設し、硬貨がこぼれ落ちないように小箱の片側に硬貨を集積させながら小箱を取り出すことができるようにしたので、硬貨を紛失することなく、簡単に収納袋等に移し替えることができる。
【実施例３】
【０１１４】
（構成）
実施例３の硬貨管理装置は、図２２の左上に示すように、硬貨管理装置１７の出金口２３に一括出金カセット３００を収納する際に小箱を押える押えガイド４００を新たに設けた構成となっている。硬貨管理システムの構成、硬貨部３８の構成、硬貨集積部の配置、出金カセット７７の構成は、実施例１の構成と同様であるので、簡略化のためにその詳細な説明は省略する。
【０１１５】
この押えガイド４００は、一括出金カセット３００を出金口２３にセットしたときに、一括出金カセット３００の上端より若干高い位置に配置している。
【０１１６】
そして、同図に示したように、小箱２２０が出金カセット内に入り切っていない状態、すなわち、小箱の突起部２２２が一括出金カセット３００のサイドフレームのガイド形状２０４に嵌合しないで、小箱２２０が一括出金カセット３００の上部に飛び出ている状態のとき、硬貨管理装置１７の出金口２３に一括出金カセット３００を矢印Ｚ方向、すなわち、硬貨管理装置１７に挿入すると、前記押えガイド４００が一括出金カセット３００の上部に飛び出た小箱２２０の端面に当接し、一括出金カセット３００を前記出金口２３に挿入していくのにつれて小箱２２０を一括出金カセット３００のサイドフレーム２０１に沿って移動させ、小箱の突起部２２２を一括出金カセット３００のサイドフレーム２０１のガイド形状２０４と嵌合させることにより、小箱２２０が一括出金カセット３００の適正な位置にセットされるようになっている。
【０１１７】
また、小箱２２０のサイドフレーム２０１の前記押えガイド４００に当接する端面２２３をＲ形状にして、小箱の突起部２２２が一括出金カセット３００のサイドフレーム２０１のガイド形状２０４に嵌合していく過程で、前記押えガイド４００が小箱を水平方向に押している力を徐々に逃がし、押えガイド４００が小箱の端面の角で引っかかって無理な力がかかることがないようにしている。
【０１１８】
（動作）
以上の構成により、硬貨管理装置は、以下のように動作する。なお、硬貨管理装置１７から店舗１１内のレジスタ機１２ａ〜１２ｄへ釣銭をセットする動作については、図１１ないし図１５を用いて説明した実施例１と同様であるので、簡略化のためにその詳細な説明を省略する。
【０１１９】
（一括出金カセットへの出金動作）
以下、外交員のための釣銭準備金を一括して出金する場合の動作について説明する。まず、外交員Ｘは、硬貨管理装置１７の出金口２３からレジスタ機用の釣銭準備金を払い出す出金カセット７７を外し、一括出金カセット３００を硬貨管理装置１７にセットする。外交員Ｘは、図１２と同様の選択画面に従い、外交員が釣銭準備金として必要とする硬貨セットを選択する。例えば、セット出金１を選択すれば、図１３のような通常業務に適した所定の金種および枚数が設定される。
【０１２０】
そして、開始・停止ボタン２５ｈを押下すると、図１４の画面が表示され、硬貨部３８の出金ガイド板７５によって、金種ごとに仕切られた区画に該当する位置に、硬貨が払い出され、一括出金カセット３００に落下し、スロープを形成する収納ガイド部２１０を滑り落ちて、小箱２２０に入る。
【０１２１】
一括出金カセット３００のサイドフレーム２０１を立ち走りした硬貨は、サイドフレームの突起部２０２に当たり、小箱２２０に入る。そして、前記設定された硬貨の出金が完了すると、図１５の画面が表示されるので、外交員Ｘは、出金が終了したことを知り、硬貨管理装置の出金口２３の扉を開く。
【０１２２】
外交員Ｘは、出金カセットの取っ手２００を持って、一括出金カセット３００を硬貨管理装置１７から、小箱２２０を取り出せる位置まで、引き出し、一括出金カセット３００から、小箱の第１の取っ手２２１ａと第２の取っ手ｂを持って、硬貨ごと小箱２２０を取り出す。そして、小箱２２０内の硬貨を携帯する収納袋に移しかえる。そして、外交員Ｘは、再び、小箱２２０を一括出金カセット３００に戻す。  
【０１２３】
このとき、例えば、外交員Ｘが小箱２２０を一括出金カセット３００の所定の位置にセットしないまま、硬貨管理装置１７の出金口２３にセットした場合でも、一括出金カセット３００を押し込むときに、押えガイド４００が小箱２２０の端面２２３に当接し、サイドフレーム２０１内に押し込まれるように移動し、小箱２２０の突起部２２２が一括出金カセットのガイド形状２０４にセットされる。
【０１２４】
そして、外交員Ｘは、硬貨管理装置１７の出金口２３の扉を閉める。以上の操作により、外交員向けの釣銭準備金払い出しの操作が終了する。
【０１２５】
なお、以上の実施例の説明では、小箱２２０の端面２２３の当て形状をＲ形状として説明したが、斜めの形状などのようにＲ形状以外とするようにしても勿論よい。
【０１２６】
また、以上の実施例の説明では、ガイド形状２０４を面取り形状とするように説明したが、面取り形状としなくても、押えガイド４００によって一括出金カセット３００を挿入するにつれて、小箱２２０が押され、小箱２２０の突起部２２２がガイド形状に納まるような形状であれば、どのような形状であってもよい。
【０１２７】
（実施例３の効果）
以上のように実施例３の硬貨管理装置によれば、硬貨管理装置の出金口に小箱を押える押えガイドを設けたので、小箱の突起部一括出金カセットのサイドフレームのガイド形状に嵌合しないで、一括出金カセットの上部に飛び出ている状態でセットしても、一括出金カセットを出金口に挿入していくのにつれて小箱を一括出金カセットのサイドフレームに沿って移動させ、小箱の突起部を一括出金カセットのガイド形状と嵌合させることができるようにしたので、小箱の取扱いを簡単にすることができる。
【産業上の利用可能性】
【０１２８】
本発明は、スーパー・量販店・ショッピングセンターなどの小売店舗や、郵便・新聞・荷物などの宅配業務拠点で、釣銭準備や入出金、担当者毎の売上金の集計、現金の回収作業を行う硬貨管理装置に広く用いることができる。
【図面の簡単な説明】
【０１２９】
【図１】実施例１の一括カセットの構成図（側面図）である。
【図２】硬貨管理システムの構成図である。
【図３】実施例１の硬貨管理装置の硬貨部の主要部斜視図である。
【図４】実施例１の硬貨管理装置の硬貨部の主要部斜視図である。
【図５】実施例１の硬貨管理装置の出金カセットの斜視図である。
【図６】実施例１の硬貨管理装置の出金カセットの斜視図である。
【図７】実施例１の硬貨管理装置の回収箱の斜視図である。
【図８】実施例１の一括カセットの構成図（上面図）である。
【図９】実施例１の一括出金カセットの要部側面図を示す図である。
【図１０】実施例１の一括出金カセットの小箱の斜視図を示す図である。
【図１１】硬貨管理装置の表示部の表示例と操作キーを示す図である。
【図１２】硬貨管理装置の表示部の表示例と操作キーを示す図である。
【図１３】硬貨管理装置の表示部の表示例と操作キーを示す図である。
【図１４】硬貨管理装置の表示部の表示例と操作キーを示す図である。
【図１５】硬貨管理装置の表示部の表示例と操作キーを示す図である。
【図１６】実施例２の一括カセットの構成図（上面図）を示す図である。
【図１７】実施例２の一括カセットの構成図（側面図）を示す図である。
【図１８】実施例２の一括出金カセットの要部側面図である。
【図１９】実施例２の一括出金カセットの小箱の斜視図である。
【図２０】実施例２の一括出金カセットの小箱の動作説明図である。
【図２１】実施例２の一括出金カセットの小箱の動作説明図である。
【図２２】実施例３の一括出金カセットの構成図（斜視図）である。
【符号の説明】
【０１３０】
１２ａ〜１２ｄ  レジスタ機
１７  硬貨管理装置
２１  入金口
２３  出金口
２４  表示器
２５  操作キー
２５ｈ  開始・停止ボタン
７７  出金カセット
７８  回収箱
２００  取っ手
２０１  サイドフレーム
２０２  （一括出金カセットの）突起部
２０４  ガイド形状
２１０  収納ガイド部
２２０  小箱
２２１ａ、２２１ｂ  （小箱の）取っ手
２２２  （小箱の）突起部
３００  一括出金カセット
４００  押えガイド
【図１】
2008293451.tif 000003
【図２】
2008293451.tif 000004
【図３】
2008293451.tif 000005
【図４】
2008293451.tif 000006
【図５】
2008293451.tif 000007
【図６】
2008293451.tif 000008
【図７】
2008293451.tif 000009
【図８】
2008293451.tif 000010
【図９】
2008293451.tif 000011
【図１０】
2008293451.tif 000012
【図１１】
2008293451.tif 000013
【図１２】
2008293451.tif 000014
【図１３】
2008293451.tif 000015
【図１４】
2008293451.tif 000016
【図１５】
2008293451.tif 000017
【図１６】
2008293451.tif 000018
【図１７】
2008293451.tif 000019
【図１８】
2008293451.tif 000020
【図１９】
2008293451.tif 000021
【図２０】
2008293451.tif 000022
【図２１】
2008293451.tif 000023
【図２２】
2008293451.tif 000024